(57)【特許請求の範囲】
【請求項１】
外筒（１）と、該外筒（１）の内側に設けられ該外筒（１）と上壁（３）を介して連結されている内筒（２）と、前記上壁（３）に形成された注筒（６）と、該注筒（６）内の前記上壁（３）に形成された裂溝（７）と、該裂溝（７）により形成される裂取部（８）上に設けられた裂取部材（９）と、を有する合成樹脂製の中栓（４）；前記中栓（４）に装着する外蓋（５）であって、その内側に前記注筒（６）が密接する外蓋（５）；を備えた耐熱キャップであって；
前記中栓（４）の上部に一体又は別体に設けられた、前記外蓋（５）閉止の際に、前記外蓋（５）の係合部（１０）と係止する係止部（１１）；
該係止部（１１）と該係止部（１１）の内側に上方に突出して設けられた内環部（１２）とにより構成された受容部（１３）であって、下方程巾狭となる谷状の受容部（１３）；
前記外蓋（５）の内側に設けられた、先端部（１４）が前記受容部（１３）内に密接して圧入させられる環状の中足（１５）；
を備えていることを特徴とする耐熱キャップ。
【請求項２】
前記注筒（６）の末端部（１６）は外側に曲げられてラッパ状に形成されている請求項１記載の耐熱キャップ。
【請求項３】
前記外蓋（５）の内面には環状で凹状の収容部（１７）が形成され、前記外蓋（５）閉止の際に、前記注筒（６）の末端部（１６）が前記収容部（１７）に圧接して入るように形成されている請求項１又は２記載の耐熱キャップ。
【請求項４】
前記外蓋（５）は、前記中栓（４）にヒンジ（１８）を介して連結されている請求項１、２、又は３記載の耐熱キャップ。
【発明の詳細な説明】
【０００１】
【発明の属する技術分野】
この発明は清酒、又はジュース、又は麺つゆ等のような、容器に充填する際に高温に加熱して充填する場合に、その容器に装着して用いる耐熱キャップに関するものである。
【０００２】
【従来の技術】
従来この種の耐熱キャップとしては図３に示すようなものが用いられている。このキャップはポリエチレン製の中蓋５１とポリプロピレン製の外蓋５２から成り、中蓋５１は瓶５３の口部５４に取付ける取付部５５と、その内側に液体の遮断壁５６を有し、この遮断壁５６に無端状の裂溝５７が形成されている。５８は裂取部材を示す。又５９は注筒、６０は前記中蓋５１の取付部５５に装着する筒体であり、その上部の上壁６１に係止部６２が設けられている。６３は蓋体で、ヒンジ６４により前記筒体６０の一体的に設けられてきる。６５は蓋体６３の内側に形成された掛止部であり、蓋体６３が閉止させられた際に、前記係止部６２と掛止させられるようになっている。
【０００３】
前記瓶５３内に一例として麺つゆを充填する際に殺菌のため７０℃〜９０℃に加熱して充填する。
そして上記充填後このキャップが打栓されて出荷される。この場合内容液が充填中に容器の外面等に付着することがあり、そのまま出荷すると、容器表面にかびが発生し非衛生であり商品価値を低下させる。これを防止するために、通常打栓後約３０℃程度の微温湯を上記キャップの上からシャワー状に与えて付着物を洗浄している。
なおこの、微温湯によるシャワーは上記の外に次のような理由もある。それは前記のように麺つゆ等の液体商品を９０℃等の高温にして放置しておくと品質低下の恐れがあり、又上記の高温により装着したキャップの変形が起り、密閉力が低下する等の恐れがあるためである。これらの問題を解決するために上記シャワーが行われる。ところがこの時に問題が生じる。
【０００４】
これについて述べると、前記のように瓶５３に７０℃〜９０℃の麺つゆを充填してキャップを打栓すると、その麺つゆの熱はこのキャップの図における空間６７、同６８の空気を加熱し、膨張させる。次に前記のようにシャワー洗浄が行われ、かつそれにより急冷されるため、上記空間６７、同６８の空気は冷却され、その際に負圧状態となる。このため前記シャワーの水を吸引し、図示のように空間６８に水滴６９が付着する。なおこれは、前記係止部６２と掛止部６５の掛止を固くすればシャワー水の吸引は行われないが、そのようにすると、消費者等が開放する際に開放が難しくなるので固くできないのである。そしてこの水滴６９は長時間空間６８に残り、この水滴６９にかびが発生して非衛生となり商品価値を低下させるのである。
【０００５】
本発明の出願人は、さきに上記のような問題を解決する耐熱キャップの発明を出願、開示した（特開平８−５３１５２号）。本発明は上記出願、開示した耐熱キャップを更に改良するものであるため、まず上記出願、開示した耐熱キャップについて説明する。なお上記の出願、開示した耐熱キャップは図４に示すように構成されたが、同図に示す多くの部分が図３に示す前記従来の耐熱キャップと同一の構成であり、相違する部分は一部分であって、両図における図面符号の同一の部分は同一名称であり、同一機能を有するものであるので、重複を避けるため同一図面符号の部分の説明を省略し、異った部分について説明する。
図４において係止部６２の内側には上方程大径となる傾斜部７０が形成されてあり、７１は蓋体６３の内面に設けられた短筒状の中足を示す。
又７２は蓋体６３の内面に設けられた前記注筒５９内面に密接する小中足を示す。そして蓋体６３を閉止し、該蓋体６３の掛止部６５を、中蓋５１の係止部６２に掛止すると、前記中足７１は前記係止部６２内側の傾斜部７０に密接し、それと共に前記小中足７２も前記注筒５９に密接する。このため瓶５３内に７０℃〜９０℃に加熱した麺つゆを充填し、この耐熱キャップを口部８４に装着し、その外側から微温湯のシャワーを浴せると、図における空間６７、６８、６９は加熱状態から急冷され、負圧状態となる。このため最外側となる空間６９は前記シャワーの微温湯を吸引しようとする。しかし上記空間６９は前記中足７１を設けたことにより、前記図３に示す従来の空間６８より大巾に小さく形成されて密閉されてあり、このため前記シャワーによる減圧はごく微小となっており、従ってシャワーの微温湯の吸引は大巾に改良された。
【０００６】
【発明が解決しようとする課題】
本発明は上記出願、開示済みの耐熱キャップを更に一層改良し、前記シャワーの微温湯の吸引の恐れを殆どなくすことのできる耐熱キャップを提供することである。
【０００７】
【課題を解決するための手段】
前記目的を達成する本発明の耐熱キャップについて述べるとそれは、外筒１と、該外筒１の内側に設けられ該外筒１と上壁３を介して連結されている内筒２と、前記上壁３に形成された注筒６と、該注筒６内の前記上壁３に形成された裂溝７と、該裂溝７により形成される裂取部８上に設けられた裂取部材９と、を有する合成樹脂製の中栓４；  前記中栓４に装着する外蓋５であって、その内側に前記注筒６が密接する外蓋５；を備えた耐熱キャップであって；前記中栓４の上部に一体又は別体に設けられた、前記外蓋５閉止の際に、前記外蓋５の係合部１０と係止する係止部１１；該係止部１１と該係止部１１の内側に上方に突出して設けられた内環部１２とにより構成された受容部１３であって、下方程巾狭となる谷状の受容部１３；前記外蓋５の内側に設けられた、先端部１４が前記受容部１３内に密接して圧入させられる環状の中足１５；を備えていることを特徴とする耐熱キャップ、である。
【０００８】
【発明の実施の形態】
本発明は次の通りである。外筒１、内筒２、上壁３を有する合成樹脂製の中栓４と、前記上壁３に形成された、後記外蓋５の内側に密接する注筒６と、該注筒６内の前記上壁３に形成された裂溝７により構成される裂取部８上に設けられた裂取部材９と、前記中栓４に装着する外蓋５と、前記中栓４の上部に一体又は別体に設けられた、前記外蓋５閉止の際に、前記外蓋５の係合部１０と係止する係止部１１と、該係止部１１と一体にかつ該係止部１１の内側に上方に突出して設けられた内環部１２により構成された、下方程巾狭となる谷状の受容部１３と、前記外蓋５の内側に設けられた、先端部１４が前記受容部１３に密接して圧入させられる環状の中足１５とから成ることを特徴とする耐熱キャップである。
このように構成されたことにより中足１５は外蓋５閉止の際に、外蓋５と係止する係止部１１と内環部１２によって形成される受容部１３内に圧入されるため、圧入部分の密閉は確実かつ充分に行われるから、かつ又受容部１３は外蓋５に近いため、中足１５と外蓋５により形成される空間は小さく形成されている。従って同空間に生じる負圧をごく小さくすることができ、かつ裂取部８上の室の負圧の影響を確実に防止することができる。こうして中足１５と外蓋５及び受容部１３により形成される室にシャワー水の浸入の恐れを殆どなくすことができる。
【０００９】
又、注筒６の末端部１６は外側に曲げられてラッパ状に形成されている。このように構成されたことにより、注筒６は上下方向に弾性を現わすように構成されたことになり、この弾性によって外蓋５閉止の際に、この注筒６と外蓋５の内面及び受容部１３と中足１５の各上下方向の圧接を強めることができ、従って密閉性を高めることができ、中足１５外側の空間への内側の室の負圧の影響を防止でき、シャワー水の浸入を殆どなくすことができる。
【００１０】
又前記外蓋５の内面には環状で凹状の収容部１７が形成され、前記外蓋５閉止の際に、注筒６の末端部１６が前記収容部１７に入るように形成されている。これにより注筒６の末端部１６は外蓋５閉止の際に上下方向の力を受け密閉を増強することができる。
【００１１】
又前記外蓋５は中栓４に、ヒンジ１８により一体に設けられている。このように形成することにより、外蓋５閉止の際に、前記中足１５を前記受容部１３に、前記中筒６を前記環状の凹部１７に無意識に閉止しても確実に入らせることができる。
【００１２】
【実施例】
図１及び図２において４は合成樹脂により形成された中栓であり、一例としてポリエチレン、ポリプロピレンその他の適宜な合成樹脂により形成されている。そして該中栓４は図示のように外筒１、内筒２、上壁３を有して形成さている。６は注筒であり、該注筒６の末端は後記外蓋５の内側に密接するように形成されている。７は前記上壁３に形成された無端状の裂溝で、これによりその内側に裂取部８が構成されている。９は該裂取部８の上端に設けられたプルリング状の裂取部材である。
次に５は外蓋であり、前記中栓４の上に装着するように形成されている。この外蓋５は図示においてはヒンジ１８により前記中栓４に一体に形成されているが、これはその外、図示は省略するが中栓４と別体に形成し、中栓４に螺合するように構成されてもよく、又は係合されるように構成されても差支えはない。
或は又図２に示すように前記外筒１に圧接して嵌合させられている圧接筒２８に、ヒンジ結合又は螺合又は係合部等により設けられていてもよい。同図に示すものはヒンジ１８により結合されている。２９は前記圧接筒２８の上部に、内側に環状に形成された環壁であり、かつ該環壁２９の内端部に、前記中栓４の上壁３上に設けた環状の掛合部３０に掛止する掛止部３１が設けられている。
【００１３】
又、図において１１は前記上壁３又は前記圧接筒２８の環壁２９に設けられた前記外蓋５の係合部１０と係止する係止部であり、外蓋５係止の際に同外蓋５の内面に形成された突起状の係合部１０と係止するようになっている。そして前記係止部１１に対応してその内側に、上方に突出して内環部１２が形成されており、該内環部１２と前記係止部１１によって下方程巾狭となる谷状の受容部１３が形成されている。この受容部１３は外蓋５閉止の際に外蓋５内面に設けられた環状の中足１５を圧接して受容するようになっている。なお２０は小空間であり、この小空間２０を形成したことにより、前記中足１５と受容部１３との圧接を最初の圧接よりも更に圧入して増大できるようになっている。１４は中足１５の先端部を示す。
【００１４】
次に前記注筒６の末端部１６は図に示すように外側に曲げられてラッパ状に形成されている。かつ該末端部１６は基端部２１より薄肉に形成され、このため、上下方向の力に対して弾性を現わすようになっている。そして該注筒６の末端部１６は図に示すように、外蓋５閉止の際に、該外蓋５の内面に形成した環状で凹状の収容部１７に圧接して収容されるようになっている。これを詳述すると、前記収容部１７は環状の内突起２２と外突起２３とから成り、外蓋５閉止の際に内突起２２は、前記末端部１６の内面に圧接し、外突起２３は前記末端部１６の先端に圧接するようになっている。即ち注筒６はそのラッパ状部分が外蓋５の内面に圧接するため外蓋５を閉止すると、その閉止により前記末端部１６はばね状に作用して前記収容部１７に強く圧接して密封状態を形成する。しかも上記末端部１６のばね作用は前記中足１５と受容部１３との圧接にも力を及ぼすから、この部分の圧接をも増強させることができる。
このように外蓋５を閉止するという簡単な動作で注筒６の末端部１６及び前記中足１５の先端部１４の圧接、密閉はそれぞれ自動的に増強させることができるのである。
【００１５】
次に前記外蓋５はヒンジ１８により中栓４に、又は中栓４に圧接して嵌合した圧接筒２８に設けられている。これは前述のように外蓋５はヒンジによる一体結合の外、中栓４と別体に形成して、螺合又は係合等により中栓４に装着してもよいのであるが、この実施例ではヒンジ１８により一体的に設けられている。そしてこのように形成されたことにより、前記外蓋５を特に意識することなく無意識に中栓４上に閉止しても、前記中足１５の受容部１３による受容、及び前記収容部１７による中筒６の末端部１６の収容を確実にかつ容易に行なうことができる。なお図１及び図２において２４、２５、２６、２７はそれぞれ前記のような構成の結果形成された第一空間、第二空間、第三空間、第四空間を示す。
【００１６】
【発明の効果】
請求項１の発明は前記のように構成され、中足１５は外蓋５閉止の際に、外蓋５と係止する係止部１１と中環部１２によって形成される受容部１３内に圧入されるため圧入部分の密閉は安定して確実かつ充分に行なわれるから、かつ又受容部１３は外蓋５に近いため、中足１５と外蓋５により形成される空間は小さく形成できるので、同空間に生じる負圧をごく小さくすることができ、かつ裂取部８上の空間の負圧の影響を確実に防止することができる。こうして中足１５と外蓋５及び受容部１３により形成される空間にシャワー水の浸入の恐れを殆どなくすことができる。
【００１７】
請求項２の発明は前記のように構成され、又中筒６の末端部１６は外側に曲げられてラッパ状に形成されたことにより、中筒６は上下方向に弾性を現わすように構成されたことになり、この弾性によって外蓋５閉止の際に、この注筒６と外蓋５内面及び受容部１３、中足１５の各上下方向の圧接を強めることができ、従って密閉性を高めることができ、中足１５外側の空間への裂取部８上の空間の負圧の影響を防止でき、シャワー水の浸入の恐れを殆どなくすことができる。
請求項３の発明は、前記のように構成され、前記外蓋５の内面には環状で、凹状の収容部１７が形成され、前記外蓋５閉止の際に、注筒６の末端部１６が前記収容部１７に入るように形成されている。これにより注筒６の末端部１６は外蓋５閉止の際に位置的に安定して、かつ自動的に上下方向の力を受け、密閉を行なうことができる。
【００１８】
請求項４の発明は前記のように構成されたことにより、前記外蓋５を特に意識することなく、無意識に中栓４上に閉止しても、前記中足１５の受容部１３による受容、及び前記収容部１７による注筒６の末端部１８の収容を確実に、容易に行なうことができる。
【図面の簡単な説明】
【図１】この発明の実施例を示し、耐熱キャップの断面図である。
【図２】この発明の他の実施例を示し、耐熱キャップの断面図である。
【図３】従来の耐熱キャップの断面図である。
【図４】本発明の出願人が、さきに出願、開示した耐熱キャップの断面図である。
【符号の説明】
１      外筒
２      内筒
３      上壁
４      中栓
５      外蓋
６      注筒
７      裂溝
８      裂取部
９      裂取部材
１０      係合部
１１      係止部
１２      内環部
１３      受容部
１４      先端部
１５      中足
１６      末端部
１７      収容部
１８      ヒンジ
【図１】
0003796666.tif 000002
【図２】
0003796666.tif 000003
【図３】
0003796666.tif 000004
【図４】
0003796666.tif 000005